(57)【特許請求の範囲】
【請求項１】
一端にＬ字状の折曲部を有する第一側板と、前記折曲部に取付けられる第二側板を組合せてなる天埋型空気調和機のケーシングにおいて、
予め、前記第一側板の角部からずらした位置の前記折曲部の外側に、前記第二側板の先端を当接し取付けるため、前記第一側板の両側に各々第一外側断熱材を、前記第一側板の折曲部における前記第二側板の当接部を除き、貼付する一方、第一内側断熱材を前記第一側板の先端まで貼付するとともに、前記第二側板の両側に各々第二内側断熱材を、前記第二側板の前記第一側板との当接部を除き貼付する一方、前記第二外側断熱材を前記第二側板の先端まで貼付した後、
前記第一側板の前記当接部に前記第二側板の当接部を取付けてなることを特徴とする天埋型空気調和機のケーシング。
【請求項２】
前記折曲部の前記第二側板を取付ける当接部に、該第二側板の板厚に相当する段部を形成し、前記第一外側断熱材と前記第二外側断熱材の合わせ目に段差が生じないようにしてなることを特徴とする請求項１記載の天埋型空気調和機のケーシング。
【請求項３】
前記第二外側断熱材の厚さを、前記第二側板の板厚に相当する厚さだけ前記第一外側断熱材よりも薄くしてなることを特徴とする請求項１記載の天埋型空気調和機のケーシング。
【請求項４】
前記第一側板の前記折曲部に一個のネジ孔と複数の切起し爪を設けるとともに、それらに各々対応する取付孔と係止孔を前記第二側板に設け、ネジ止めを少なくしてなることを特徴とする請求項１乃至請求項３記載の天埋型空気調和機のケーシング。
【発明の詳細な説明】
【０００１】
【発明の属する技術分野】
本発明は、天井に埋設される形式の空気調和機に係り、ケーシングの構成と断熱材の貼付方法に関する。
【０００２】
【従来の技術】
図３は、従来型の天埋型空気調和機のケーシングの断面図、図４は、従来型の天埋型空気調和機のケーシングの一例を示す断熱材貼付前の要部斜視図（ａ）と断熱材貼付後の要部断面図（ｂ）、他の例を示す要部断面図（ｃ）である。
従来の天埋型空気調和機は、図３の様に、ケーシング１内の中央部にターボファン１２を設け、このターボファン１２の周囲にはこれを囲む様に略環状に形成された熱交換器１３を取付け、同熱交換器１３の下部にはドレンパン１４が取付けられていた。
【０００３】
そして、ケーシング１は、一端にＬ字状の折曲部２ｃを有し、両側に各々第一内側断熱材２ｂと第一外側断熱材２ａを貼付された第一側板２と、前記折曲部２ｃに取付けられ、両側に各々第二内側断熱材３ｂと第二外側断熱材３ａを貼付された第二側板３を組合せてなる構造であった。
【０００４】
しかしながら、上記従来型の天埋型空気調和機のケーシングによると、前記第一外側断熱材２ａと前記第二外側断熱材３ａの継ぎ目に当たる前記第一側板２の折曲箇所で、隙間が生じ易く、このため略Ｌ字形の第三断熱材３ｚをその上に後加工により重畳して貼付することもあった。
図５は、従来型の天埋型空気調和機のケーシングの他の例を示す断熱材貼付前の要部斜視図（ａ）と断熱材貼付後の要部断面図（ｂ）、他の例を示す要部断面図（ｃ）である。
この場合、前記第一外側断熱材２ａまたは前記第二外側断熱材３ａの一方を、他方を被う位置まで延伸し、後工程により貼付していた。
このため、後加工が必要となり、部品点数、工数の増加となるおそれがある問題を有していた。
【０００５】
【発明が解決しようとする課題】
本発明は、上記従来型の問題点に鑑み発明されたものであって、ケーシングの断熱材の隙間をなくすとともに、後加工を無くし、部品点数、工数を削減した構造の天埋型空気調和機のケーシングを提供することを目的とするものである。
【０００６】
【課題を解決するための手段】
上記の課題を解決するため、一端にＬ字状の折曲部を有する第一側板と、前記折曲部に取付けられる第二側板を組合せてなる天埋型空気調和機のケーシングにおいて、予め、前記第一側板の角部からずらした位置の前記折曲部の外側に、前記第二側板の先端を当接し取付けるため、前記第一側板の両側に各々第一外側断熱材を、前記第一側板の折曲部における前記第二側板の当接部を除き、貼付する一方、第一内側断熱材を前記第一側板の先端まで貼付するとともに、前記第二側板の両側に各々第二内側断熱材を、前記第二側板の前記第一側板との当接部を除き貼付する一方、前記第二外側断熱材を前記第二側板の先端まで貼付した後、前記第一側板の前記当接部に前記第二側板の当接部を取付けてなるようにする。
【０００７】
そして、前記折曲部の前記第二側板を取付ける当接部に、該第二側板の板厚に相当する段部を形成し、前記第一外側断熱材と前記第二外側断熱材の合わせ目に段差が生じないようにしてなるようにする。
【０００８】
あるいは、前記第二外側断熱材の厚さを、前記第二側板の板厚に相当する厚さだけ前記第一外側断熱材よりも薄くしてなるようにする。
一方、前記第一側板の前記折曲部に一個のネジ孔と複数の切起し爪を設けるとともに、それらに各々対応する取付孔と係止孔を前記第二側板に設け、ネジ止めを少なくしてなるようにする。
【０００９】
【発明の実施の形態】
図１は、本発明の一実施例を示す天埋型空気調和機のケーシングの断熱材貼付なしの要部斜視図（ａ）、と断熱材貼付有りの要部断面図（ｂ）、他の実施例の要部断面図（ｃ）である。
本発明の実施例を添付図面を参照して詳細に説明する。
なお、従来と同じ部分の符号は同一とする。
また、基本的な構成は従来と同じなので説明を省略する。
以下本発明を図に示す一実施例に基づいて説明すると、一端にＬ字状の折曲部２ｃを有する第一側板２と、前記折曲部２ｃに取付けられる第二側板３を組合せて天埋型空気調和機のケーシング１を構成する。
【００１０】
ここで、予め、前記第一側板２の角部からずらした位置の前記折曲部２ｃの外側に、前記第二側板３の先端を当接し取付けるため、前記第一側板２の両側に各々第一外側断熱材２ａを、前記第一側板２の折曲部２ｃにおける前記第二側板３の当接部２ｅを除き貼付する一方、第一内側断熱材２ｂを前記第一側板２の先端まで貼付する。
それとともに、前記第二側板３の両側に各々第二内側断熱材３ｂを、前記第二側板３の前記第一側板２との当接部３ｅを除き貼付する一方、前記第二外側断熱材を前記第二側板３の先端まで貼付する。
しかる後、前記第一側板２の当接部２ｅに前記第二側板３の当接部３ｅを取付けてなるようにする。
【００１１】
他方、前記第一側板２の前記折曲部２ｃに一個のネジ孔２ｃ１と複数の切起し爪２ｃ２を設けるとともに、それらに各々対応する取付孔３ｃ１と係止孔３ｃ２を前記第二側板３に設け、ネジ止めを少なくして、前記第一側板２の前記折曲部２ｃに前記第二側板３を取付けている。
【００１２】
さらに、図１の（ｃ）に示すように、前記第二外側断熱材３ａの厚さを、前記第二側板３の板厚に相当する厚さだけ前記第一外側断熱材２ａよりも薄くしてなるようにしてもよい。
これによって、前記第一外側断熱材２ａと前記第二外側断熱材３ａとの継ぎ目の段差をなくすことができる。
【００１３】
図２は、本発明の他の実施例を示す天埋型空気調和機のケーシングの断熱材貼付なしの要部斜視図（ａ）と断熱材貼付有りの要部断面図（ｂ）である。
この場合、前記折曲部２ｃの前記第二側板３を取付ける部分に、同第二側板３の板厚に相当する段部２ｄを形成してなるようにする。
【００１４】
ここで、本発明の作用について説明する。
上記の構成において、前記第一側板２の折曲箇所に、前記第一外側断熱材２ａと前記第二外側断熱材３ａの継ぎ目が位置せず、隙間が生じなくなるようにすることができる。
【００１５】
さらに、前記段部２ｄを形成することにより、前記第一外側断熱材２ａと前記第二外側断熱材３ａとの段差を無くすことができる。
【００１６】
【発明の効果】
本発明の天埋型空気調和機のケーシングによると、一端にＬ字状の折曲部を有する第一側板と、前記折曲部に取付けられる第二側板を組合せてなる天埋型空気調和機のケーシングにおいて、予め、前記第一側板の角部からずらした位置の前記折曲部の外側に、前記第二側板の先端を当接し取付けるため、前記第一側板の両側に各々第一外側断熱材を、前記第一側板の折曲部における前記第二側板の当接部を除き、貼付する一方、第一内側断熱材を前記第一側板の先端まで貼付するとともに、前記第二側板の両側に各々第二内側断熱材を、前記第二側板の前記第一側板との当接部を除き貼付する一方、前記第二外側断熱材を前記第二側板の先端まで貼付した後、前記第一側板の前記当接部に前記第二側板の当接部を取付けてなるようにした。
この結果、ケーシングの断熱材の隙間をなくすとともに、後加工を無くし、部品点数、工数を削減した天埋型空気調和機のケーシングを提供することができる。
【図面の簡単な説明】
【図１】本発明の一実施例を示す天埋型空気調和機のケーシングの断熱材貼付なしの要部斜視図（ａ）と、断熱材貼付有りの要部断面図（ｂ）、他の実施例の要部断面図（ｃ）である。
【図２】本発明の他の実施例を示す天埋型空気調和機のケーシングの断熱材貼付なしの要部斜視図（ａ）と、断熱材貼付有り要部断面図（ｂ）である。
【図３】従来型の天埋型空気調和機のケーシングの断面図である。
【図４】従来型の天埋型空気調和機のケーシングの一例を示す断熱材貼付前の要部斜視図（ａ）と断熱材貼付後の要部断面図（ｂ）、他の例の要部断面図（ｃ）である。
【図５】従来型の天埋型空気調和機のケーシングの他の例を示す断熱材貼付前の要部斜視図（ａ）と断熱材貼付後の要部断面図（ｂ）、他の例の要部断面図（ｃ）である。
【符号の説明】
１  ケーシング
２  第一側板
２ａ  第一外側断熱材
２ｂ  第一内側断熱材
２ｃ  折曲部
２ｃ１  ネジ孔
２ｃ２  切起し片
２ｄ  段部
２ｅ  当接部
３  第二側板
３ａ  第二外側断熱材
３ｂ  第二内側断熱材
３ｃ１  取付孔
３ｃ２  係止孔
３ｅ  当接部
【図１】
0003781079.tif 000002
【図２】
0003781079.tif 000003
【図３】
0003781079.tif 000004
【図４】
0003781079.tif 000005
【図５】
0003781079.tif 000006